(57)【要約】【課題】端子台の組立において、導電部材である端子金具をベースの取付孔に挿通する際、ベースの底部にある貫通孔に正しく挿通できず、組立不良の発生や作業性が悪い問題を解決する。【解決手段】合成樹脂部材で形成されたベース２１に設けられ、端子金具４を挿通する取付孔２２内の底部に穿設された貫通孔２３に、正しく挿通するための溝部２４を貫通孔２３の上部に設けることにより、端子金具４の第一脚片７ａが溝部２４に導かれ、先端部が貫通孔２３に正しく挿通される。【選択図】図４
2010251042.tif 000002
【特許請求の範囲】
【請求項１】
導電部材からなる端子金具と、合成樹脂部材で形成されたベースとを有するねじ式の端子台において、前記端子金具は端子ねじの螺合部を有する基部と、この基部の一辺から垂下し先端部を有する第一脚片と、この第一脚片に対向する他片から垂下する第二脚片とを有し、前記ベースには、前記端子金具を前記脚片方向より挿入するための１列または高さの異なる複数列に形成され、かつ、複数個並設された取付孔とを有し、この取付孔内に列方向と直角方向背面側のそれぞれに、前記第一脚片の先端部が挿通される貫通孔とを底部に有すると共に、前記貫通孔から前記取付孔の入口近傍まで至る溝部とを有し、この溝部が前記端子金具挿入時に発生する前または後への倒れ込みを防止し、前記端子金具が前記取付孔に正しく挿通できるよう構成されていることを特徴とする端子台。
【発明の詳細な説明】
【技術分野】
【０００１】
本発明は、シーケンサなど各種電子機器の入出力端子に使用され、主にプリント基板に実装して使用する端子台に関する。
【背景技術】
【０００２】
端子金具をプリント基板に接続するねじ式の端子台が、従来から知られている。図６乃至図８にその端子台の構造例を示す。合成樹脂部材で構成されたベース１には、複数個の取付孔２が一列、または複数列に、かつ各列異なる高さに形成され、取付孔２の底部には貫通孔３を有している。取付孔２に挿通される導電部材からなる端子金具４は、螺合部５を有する基部６と、基部６を挟んで垂下する２つの脚片、足長で先細形状の先端部を有する第一脚片７ａと足の短い第二脚片７ｂとを有し、かつ両脚片７ａ、７ｂの両端面には突起部８が各々設けられている。端子金具４がベース１の取付孔２に挿通され、第一脚片７ａの先端部が貫通孔３に貫通すると同時に、突起部８が取付孔２内の両側壁間に圧入され固定される。そして、第一脚片７ａの先端部は、プリント基板（図示せず）に接続され、端子金具４には、端子ねじ９（図示せず）が螺合されてねじ端子となり、端子台が構成されている。
【０００３】
端子金具４は、一方の脚片をプリント基板に接続する目的から、ベース１への取付位置に合わせて片側が足長で、下段用は短く、上段用は長い形状となっている。
【先行技術文献】
【特許文献】
【０００４】
【特許文献１】特開平７−２６３０５３号公報
【発明の概要】
【発明が解決しようとする課題】
【０００５】
前記構造の端子台の組立において、組立作業者は両脚片７ａ、７ｂを有する端子金具４をベース１の取付孔２に挿通するため、端子金具４の基部６の両側を指でつまみ、まず取付孔２の底部にある貫通孔３に脚片７ａの先端部を挿通しようとする。しかし、ベース１には隣との絶縁を確保するための隔壁１１があり、脚片７ａの先端部と貫通孔３とに隔たりがあることから、つまんだ指先が隔壁１１の上面に触れた所で貫通孔３を目掛けて自然落下させることになる。前記のように端子金具４は、脚片の片側が足長、かつ、端子ねじ９の螺合部５を有する基部６が上部になる形状から、重量バランスの点で上部が重く倒れ易い姿勢であるため、図８（ｂ）のように端子金具４の第一脚片７ａの先端部をベース１の貫通孔３に正しく挿通しずらく、先端部が貫通孔３に入らず第一脚片７ａが曲がった状態でベース１に圧入されるといった組立不良の発生や作業性が悪いという組立上の問題があった。
【０００６】
本発明はこのような点に鑑みてなされたもので、端子金具をベースの貫通孔に確実に挿通することで、組立作業の容易な端子台の提供を目的としている。  
【課題を解決するための手段】
【０００７】
上記の目的を達成するために、本発明は、導電部材からなる端子金具と、合成樹脂部材で形成されたベースとを有するねじ式の端子台において、前記端子金具は端子ねじの螺合部を有する基部と、この基部の一辺から垂下し先端部を有する第一脚片と、この第一脚片に対向する他片から垂下する第二脚片とを有し、前記ベースには、前記端子金具を前記脚片方向より挿入するための１列または高さの異なる複数列に形成され、かつ、複数個並設された取付孔とを有し、この取付孔内に列方向と直角方向背面側のそれぞれに、前記第一脚片の先端部が挿通される貫通孔とを底部に有すると共に、前記貫通孔から前記取付孔の入口近傍まで至る溝部とを有し、この溝部が前記端子金具挿通時に発生する前または後への倒れ込みを防止し、前記端子金具が前記取付孔に正しく挿通できるよう構成されていることを特徴とする。 
【発明の効果】
【０００８】
本発明の端子台は、端子台組立時にベースの取付孔に端子金具を取付ける際、取付孔の底部にある貫通孔に正しく確実に挿通できる効果がある。
【図面の簡単な説明】
【０００９】
【図１】本発明に係わる端子台の平面部分断面図
【図２】本発明に係わる端子台図１の取付孔部分の拡大図
【図３】本発明に係わる端子台の正面部分断面図
【図４】本発明に係わる端子台図３のＡ−Ａの断面図
【図５】本発明に係わる端子台図３のＡ−Ａの断面図（ａ）、（ｂ）
【図６】従来の端子台の平面部分断面図
【図７】従来の端子台の正面部分断面図
【図８】従来の端子台図７のＢ−Ｂの断面図（ａ）、（ｂ）
【発明を実施するための形態】
【００１０】
以下に、本発明の一実施形態を図１乃至図５に基づき説明する。但し、以下の説明は、あくまでも本発明の例示にすぎず、以下の記載によって発明の技術的範囲が限定されるものではない。
【実施例】
【００１１】
図１は、端子台２０の構成部品である端子金具４を部分的に取り除いた平面部分断面図であり、図６の従来構成図に対応するものである。また、図２は、図１の取付孔部分の拡大図である。図３は、正面部分断面図、そして図４及び図５は、図３のＡ−Ａ断面図である。図４において、導電部材で構成される端子金具４は、端子ねじ９（図示せず）の螺合部５を有する基部６と、この基部６の一辺から垂下し先端部を有する第一脚片７ａと、この第一脚片７ａに対向する他片から垂下する第二脚片７ｂとからなり、さらに端子金具４の両脚片７ａ、７ｂの両端面には、端子金具４の抜け止めのための突起部８が各々設けられている。また、第一脚片７ａは、先端部がプリント基板（図示せず）に接続できるよう足長かつ先細形状となっており、第二脚片７ｂには、先細形状の先端部は設けていない。説明のため図４及び図５は、端子金具４を挿通する際の状態を表している。
【００１２】
絶縁性の合成樹脂部材からなるベース２１は、例えば、各々高さが異なる上下２段構造の場合、上段、下段にそれぞれ所定の間隔で、端子金具４が挿通される取付孔２２が、一列に並んで複数形成されている。上段、下段の取付孔２２は、端子金具４への電線接続を考慮して半ピッチずれて配列されている。また、図１、図２の各取付孔２２内の列方向と直角方向背面側の底部には、端子金具４の第一脚片７ａの先端部が挿通される貫通孔２３が穿設されている。さらに、貫通孔２３の上部には、貫通孔２３から取付孔２２の入口近傍まで至る溝部２４が形成されている。
【００１３】
次に、端子台２０のベース２１に端子金具４を取り付ける際の行程について説明する。端子台２０を図３に示すように正面に向け、端子金具４の第二脚片７ｂを手前にした状態で、組立作業者が端子金具４の基部６の両側を指でつまみ、取付孔２２の底部にある貫通孔２３に第一脚片７ａの先端部を挿通する際、ベース２１には隣との絶縁を確保するための隔壁２５があり、上下方向に対して制約があるが、基部６付近をつまんだ指先を隔壁２５の上面まで近付けると第一脚片７ａの先端部は、取付孔２２の入口近傍から底部に至るまで溝部２４があることで、第一脚片７ａの先細形状の先端部を取付孔２２の溝部２４に正確に合わせることができる。そして、つまんだ指先から端子金具４を離すと、第一脚片７ａは溝部２４に導かれて先端部が貫通孔２３に挿通され、端子金具４の両脚片７ａ、７ｂの両端面に設けた突起部８が、ベース２１の列方向の両内壁間に当たって止まる。その状態からさらに基部６の上面を下方に強く押し込むことにより、突起部８が取付孔２２の両内壁間に圧入され、端子金具４はベース２１に固定される。最後に、基部６の螺合部５に端子ねじ９が螺合されて組立が完了する。
【００１４】
このようにベース２１の貫通孔２３の上部に溝部２４が形成されたことにより、端子金具４の第一脚片７ａの先端部を容易にかつ確実に貫通孔２３に挿通することが可能となる。尚、予め端子金具４の第一脚片７ａを長く設定しておけば、先端部を貫通孔２３に容易に挿通できるが、その場合、端子金具４を圧入後に先端部がベース２１の貫通孔２３から大きく突出することとなり、その結果プリント基板から突出した先端部を切断したり、折り曲げるなど余計な作業が必要となってしまう。  
【００１５】
尚、上記実施例においては端子台２０を上、下２段構造としたが、これに限るものではなく、１段でも複数段であっても良い。  
【符号の説明】
【００１６】
１    ベース
２    取付孔
３    貫通孔
４    端子金具
５    螺合部
６    基部
７ａ  第一脚片
７ｂ  第二脚片
８    突起部
９    端子ねじ
１０    端子台
１１    隔壁
２０    端子台
２１    ベース
２２    取付孔
２３    貫通孔
２４    溝部    
２５    隔壁
【図１】
2010251042.tif 000003
【図２】
2010251042.tif 000004
【図３】
2010251042.tif 000005
【図４】
2010251042.tif 000006
【図５】
2010251042.tif 000007
【図６】
2010251042.tif 000008
【図７】
2010251042.tif 000009
【図８】
2010251042.tif 000010